(57)【特許請求の範囲】
【請求項１】
天井高が１．０〜１．４ｍの収納室の天井に、収納物を吊り下げた状態で移動可能とするレールが取り付けられており、このレールの一端部が前記収納室の出入口に位置しており、
前記収納物は、内部に物を収納可能な収納家具であり、この収納家具の上面に、前記レールに係合して、該レールに沿って移動可能な上車輪が取り付けられ、
前記収納家具の下面には、床上を転動可能な下車輪が取り付けられ、
前記上車輪が前記レールに係合し、前記収納家具が吊り下げられた状態で、前記下車輪が前記収納室の床から完全に離れた状態となり、かつ該下車輪と床との間に隙間が生じていることを特徴とする収納システム。
【請求項２】
請求項１に記載の収納システムにおいて、
前記レールは前記収納室の出入口近傍に位置する出入口レール部と、出入口より奥側において、前記出入口レールより高位置に位置する奥側レール部と、この奥側レール部と前記出入口レール部とを連結する傾斜レールとで構成されており、
前記出入口レール部は前記収納家具の下車輪が床に接した状態で、上車輪が係合可能な位置に取り付けられていることを特徴とする収納システム。
【請求項３】
請求項１または２に記載の収納システムにおいて、
前記収納家具が複数あり、これら収納家具どうしは連結可能であることを特徴とする収納システム。
【請求項４】
請求項１〜３のいずれか一項に記載の収納システムにおいて、
前記収納家具は動力によって前記レールに沿って移動可能であることを特徴とする収納システム。
【発明の詳細な説明】
【技術分野】
【０００１】
本発明は、高さが１．０〜１．４メール程度の収納室を備えた収納システムに関する。
【背景技術】
【０００２】
高さが１．０〜１．４メール程度の収納室を備えた建物が知られている（例えば特許文献１参照）。
この建物では、床の一部の上方に離間してスキップ床が設けられ、前記床とスキップ床との間に壁が設けられ、この壁と前記床と前記スキップ床とで囲まれた空間は収納室とされ、この収納室を形成する壁に前記収納室への出入口が設けられ、前記収納室は、天井高を約１．０〜１．４ｍ、前記出入口からの奥行きを約２．５ｍ以上とされている。
そして、収納室に収納物を収納する際に、キャスター付きの台車を使用し、この台車に収納物を収納したうえで、台車を収納室に搬入したり、収納室から搬出したりしている。
また、収納室の床に案内溝を形成し、この案内溝に沿って台車を移動させるようにもしている。
【特許文献１】特開２００４−１００３７６号公報
【発明の開示】
【発明が解決しようとする課題】
【０００３】
このように、キャスター付きの台車が収納室の床上を移動する際に、床面がキャスターの車輪によって傷付き易くなる。
また、収納室の床に形成された案内溝に沿って台車を移動させる場合、この案内溝に人がつまづいたり、案内溝に落下物が嵌り込むと台車が移動できなくなるという問題もあった。
【０００４】
本発明は上記事情に鑑みてなされたもので、収納物を収納室に搬入・搬出する際に、収納室の床面を傷付けることがなく、また、台車等の収納家具をスムーズに収納室に搬入・搬出することができる収納システムを提供することを課題としている。
【課題を解決するための手段】
【０００５】
上記課題を解決するために、請求項１に記載の発明は、例えば図２〜図７に示すように、天井高が１．０〜１．４ｍの収納室４の天井４ａに、収納物（収納家具１０）を吊り下げた状態で移動可能とするレール１１が取り付けられており、このレール１１の一端部が前記収納室４の出入口５に位置しており、
前記収納物は、内部に物を収納可能な収納家具１０であり、この収納家具１０の上面に、前記レール１１に係合して、該レール１１に沿って移動可能な上車輪２１ｃが取り付けられ、
前記収納家具１０の下面には、床上を転動可能な下車輪２０ｂが取り付けられ、
前記上車輪２１ｃが前記レール１１に係合し、前記収納家具１０が吊り下げられた状態で、前記下車輪２０ｂが前記収納室４の床２から完全に離れた状態となり、かつ該下車輪２０ｂと床２との間に隙間が生じていることを特徴とする。
【０００６】
請求項１に記載の発明によれば、収納室４の出入口５において収納物（収納家具１０）はレール１１に吊り下げられ、この吊り下げられた状態でレール１１に沿って移動するので、収納室４の床面が傷付くことがない。また、床面に案内溝がないので人がつまづいたり、案内溝に物が嵌り込んで収納物が移動不能となることもない。したがって、収納物をスムーズに収納室４に搬入・搬出することができる。
【０００８】
また、収納家具１０の上面に上車輪２１ｃが取り付けられているので、この上車輪２１ｃをレール１１に係合し、このレール１１に沿って移動させることによって、収納家具１０を収納室４にスムーズに搬入・搬出することができる。また、上車輪２１ｃを収納室４の出入口５においてレール１１の端部から外すことによって、収納家具１０を収納室４の出入口５から外部（居室６）に搬出できる。
【００１０】
また、収納家具１０の下面に下車輪２０ｂが取り付けられているので、収納室４の外部（居室６）から収納室４の出入口５まで収納家具１０を容易に搬送でき、また、収納室４の内部から出入口５までレール１１に沿って移動してきた収納家具１０を、出入口５から外部（居室６）に搬出できる。
【００１１】
請求項２に記載の発明は、請求項１に記載の収納システムにおいて、
前記レール１１は前記収納室４の出入口近傍に位置する出入口レール部１２と、出入口５より奥側において、前記出入口レール１２より高位置に位置する奥側レール部１３と、この奥側レール部１３と前記出入口レール部１２とを連結する傾斜レール１４とで構成されており、
前記出入口レール部１２は前記収納家具１０の下車輪２０ｂが床に接した状態で、上車輪２１ｃが係合可能な位置に取り付けられていることを特徴とする。
【００１２】
請求項２に記載の発明によれば、出入口レール部１２は、収納家具１０の下車輪２０ｂが床に接した状態で、上車輪２１ｃが係合可能な位置に取り付けられているので、収納室４の出入口５で収納家具１０の上車輪２１ｃを出入口レール部１２に係合することができる。そして、上車輪２１ｃが出入口レール部１２に沿って移動して、該上車輪２１ｃが傾斜レール部１４に乗り移り、この傾斜レール部１４を移動していく。上車輪２１ｃが傾斜レール部１４を移動していくと、収納家具１０が上昇しながら移動していき、これにともなって下車輪２０ｂが床から離れていく。そして、上車輪２１ｃが奥側レール部１３に乗り移ると、下車輪２０ｂが完全に床から離れ、この状態で上車輪２１ｃが奥側レール部１２に沿って移動していく。したがって、外部から収納室４の出入口５まで搬送してきた収納家具１０の上車輪２１ｃを、該出入口５で出入口レール部１２に係合して移動させていくことによって、収納家具１０を次第に上昇させながら下車輪２０ｂが床から完全に離れた状態で奥側レール部１３に吊り下げて移動させることができる。
【００１３】
請求項３に記載の発明は、請求項１または２に記載の収納システムにおいて、
前記収納家具１０が複数あり、これら収納家具１０，１０どうしは連結可能であることを特徴とする。
【００１４】
請求項３に記載の発明によれば、収納家具１０，１０どうしが連結可能であるので、複数の収納家具１０を連結した状態でレール１１に沿って移動させることによって、収納家具１０を次々に収納室４に搬入したり、収納室４から搬出できる。
【００１５】
請求項４に記載の発明は、請求項１〜３のいずれか一項に記載の収納システムにおいて、前記収納家具１０は動力によって前記レール１１に沿って移動可能であることを特徴とする。
【００１６】
請求項４に記載の発明によれば、収納家具１０をレール１１に沿って動力によって人手を介さずに自動的に移動させることができるので、収納家具１０の搬入・搬出作業を容易に行える。
【発明の効果】
【００１７】
本発明によれば、収納室の天井に、収納物を吊り下げた状態で移動可能とするレールが取り付けられており、このレールの一端部が収納室の出入口に位置しているので、収納室の出入口において収納物をレールに吊り下げることができる。そして、この吊り下げられた状態で収納物がレールに沿って移動するので、床面が傷付くことがない。また、床面に案内溝がないので人がつまづいたり、案内溝に物が嵌り込んで収納物が移動不能となることもない。したがって、収納物をスムーズに収納室に搬入・搬出することができる。
【発明を実施するための最良の形態】
【００１８】
以下、図面を参照して本発明の実施の形態について説明する。
まず、図１を参照して本発明に係る収納システムを備えた建物について簡単に説明する。
この建物１は、壁や床、屋根といった構成要素を予め工場にてパネル化しておき、施工現場でこれらのパネルを組み立てることにより、住宅を構築するといったパネル工法で構築されたものである。
【００１９】
建物１は２階建てのものであり、２階の床２の一部（図１では半分）の上方にはスキップ床３が設けられている。床２とスキップ床３との間には壁が設けられ、この壁と前記床２と前記スキップ床３とで囲まれた空間は収納室４とされている。この収納室４を形成する壁には、収納室４への出入口５が形成されている。収納室４の天井高は１．０〜１．４ｍに設定されている。
２階の床２の右側半分の上には居室６が設けられており、前記出入口５は居室６に面している。したがって、収納室４には居室６側から出入口５を通して物を搬入したり、収納室４から居室６に物を搬出できるようになっている。
また、前記スキップ床３上には居室７が設けられており、スキップ床３と居室６の床２との間に階段８が設けられている。したがって、この階段８によって居室６と居室７との間を人が行き来できるようになっている。なお、符号９は屋根裏に設けられた収納所であり、居室７から使用できるようになっている。
【００２０】
前記収納室４の天井４ａには、図２および図３に示すように、収納家具１０を吊り下げた状態で移動可能とするレール１１，１１が平行に取り付けられている。このレール１１，１１は、収納室４の出入口５から収納室４の内壁面に沿って平面視において略四角環状に延び再び出入口５に達するように配設されている。したがって、レール１１，１１の一端部と他端部は、それぞれ出入口５に位置している。
【００２１】
前記レール１１は、出入口レール部１２、奥側レール部１３、傾斜レール部１４の３種類のレール部で構成されている。
出入口レール部１２は、収納室４の出入口５近傍に設けられたものであり、天井４ａに該天井４ａの下面より下方に位置するようにして配置されている。すなわち、図４に示すように、天井４ａには凹溝１５，１５が形成されており、この凹溝１５，１５に出入口レール部１２，１２の上部が挿入され、凹溝１５，１５の側面に固定されている。出入口レール部１２は、断面略Ｌ字状に形成された長尺なものであり、その下片部１２ａが略水平になるように、かつ天井４ａの下面より下方に位置するようにして配置されている。
また、出入口レール部１２は前記収納家具１０の後述する下車輪２０ｂが床に接した状態で、後述する上車輪２１ｃが係合可能な位置に取り付けられている。
【００２２】
奥側レール部１３は収納室４の出入口５より奥側において、出入口レール部１２より高位置に位置するようにして設けられたものであり、天井４ａに該天井４ａの下面より上方に位置するようにして配置されている。すなわち、図５に示すように、天井４ａには凹溝１６，１６が形成されており、この凹溝１６，１６に奥側レール部１３，１３の上部が挿入され、凹溝１６，１６の側面に固定されている。奥側レール部１３は、断面略Ｌ字状に形成された長尺なものであり、その下片部１３ａが略水平になるように、かつ天井４ａの下面より上方に位置するようにして配置されている。
【００２３】
前記傾斜レール部１４は、図３に示すように、奥側レール部１３と出入口レール部１２とを連結する断面Ｌ字状のものであり、出入口レール部１２と奥側レール部１３との間に配置されている。また、傾斜レール部１４は水平面に対して傾斜しており、前記凹溝１５と凹溝１６とを接続する傾斜凹溝１７に挿入され、下片部１４ａが傾斜するようにして配置されている。また、傾斜レール部１４の傾斜方向下側の端部は出入口レール部１２の端部に滑らかに接続され、傾斜方向上側の端部は奥側レール部１３の端部に滑らかに接続されている。
【００２４】
前記収納家具１０は、図６に示すように、内部に物を収納可能な箱形のものであり、その側面が開口している。また、収納家具１０の内部には適宜棚や引出し等が設けられている。
収納家具１０の下面の４隅部には、それぞれキャスタ２０が取り付けられている。このキャスタ２０は鉛直軸回りに回転可能な回転支持部２０ａとこの回転支持部２０ａに水平軸回りに回転可能に支持された下車輪２０ｂと備えたものである。したがって、下車輪２０ｂは床上を転動可能であり、回転支持部２０ａの回転によって下車輪２０ｂの向きが変更可能となっている。
また、収納家具１０の上面の４隅部には、それぞれ鉛直軸回りに回転可能な回転部２１ａが取り付けられており、この回転部２１ａには軸２１ｂが立設されており、この軸２１ｂの上端部には上車輪２１ｃが水平軸回りに回転可能に取り付けられている。したがって、上車輪２１ｃは前記レール１１上を転動可能であり、回転部２１ａの回転によって下車輪２１ｃの向きが変更可能となっている。
【００２５】
上記のような収納家具１０は、図４に示すように、収納室４の出入口５では、上車輪２１ｃが出入口レール部１２の下片部１２ａ上に係合しており、この下片部１２ａ上を転動することによって、出入口レール部１２に沿って移動可能となっている。上車輪２１ｃが出入口レール部１２の下片部１２ａに係合した状態では、下車輪２０ｂと床２の上面には若干の隙間が生じている。また、下車輪２０ｂが床２の上面に接している状態では、上車輪２１ｃの下面は出入口レール部１２の下片部１２ａの上面より若干下方に位置しているが、該上車輪２１ｃは、収納家具１０を出入口レール部１２に向けて押すことによって、下片部１２の上面に係合可能、つまり上面に乗ることが可能となっている。
【００２６】
また、収納家具１０，１０どうしは連結可能となっている。すなわち、図７に示すように、収納家具１０の前後端面には、それぞれ連結部２２が取り付けられており、連結部２２，２２を連結することによって、前後の収納家具１０，１０どうしが連結可能となっている。
連結部２２は、収納家具１０の前後部にそれぞれ上下に移動可能に取り付けられたスライダ２２ａと、このスライダ２２ａから外側に延出するアーム２２ｂと、このアーム２２ｂの先端部に該アーム２２ｂと水平面内で直交するように形成された連結材２２ｃとから構成されている。前記アーム２２ｂの基端部は、前記スライダ２２ａにピン結合され、これによってアーム２２ｂはその基端部を支点として左右に揺動可能となっている。また、連結部２２，２２どうしを連結する場合、それぞれ連結材２２ｃ，２２ｃどうしを当接した状態でこれらを紐、輪ゴム等の線状またはリング状の部材２３によって結ぶことによって行われる。
上記のように連結部２２が構成されているので、前後に隣り合う収納家具１０，１０どうしが上下左右にずれても、このずれ量に応じて、前記スライダ２２ａ，２２ａが上下するとともに、アーム２２ｂ，２２ｂが左右に揺動するので、連結材２２ｃ，２２ｃは安定的に連結された状態となり、よって、収納家具１０，１０を無理なく安定的に連結できる。
【００２７】
上記のような収納システムを用いて、収納家具１０を収納室４に収納する場合、以下のようにして行う。
すなわちまず、居室６の床２上を収納家具１０の下車輪２０ｂを転動させながら、該収納家具１０を収納室４の出入口５まで搬送し、この収納家具１０の上車輪２１ｃを、出入口レール部１２の端部に対向させたうえで、収納家具１０を収納室４に押し込むと、上車輪２１ｃが出入口レール部１２に係合する。さらに、収納家具１０を押し込むと、上車輪２１ｃが出入口レール部１２に沿って移動して、該上車輪２１ｃが傾斜レール部１４に乗り移り、この傾斜レール部１４を移動していく。
【００２８】
上車輪２１ｃが傾斜レール部１４を移動していくと、収納家具１０が上昇しながら移動していき、これにともなって下車輪２０ｂが収納室４の床２から離れていく。そして、上車輪２１ｃが奥側レール部１３に乗り移ると、下車輪２０ｂが完全に床２から離れ、この状態で奥側レール部１３に沿って移動していく。したがって、居室６から収納室４の出入口５まで搬送してきた収納家具１０の上車輪２１ｃを、該出入口５で出入口レール部１２に係合して移動させていくことによって、収納家具１０を次第に上昇させながら下車輪２０ｂが床２から完全に離れた状態で奥側レール部１３に吊り下げて移動させることができる。このように収納室４の出入口５において収納家具１０は出入口レール部１２に吊り下げられ、この吊り下げられた状態で傾斜レール部１４を移動して奥側レール部１３に沿って移動するので、収納室４の床面が傷付くことがない。また、床面に案内溝がないので人がつまづいたり、案内溝に物が嵌り込んで収納物が移動不能となることもない。したがって、収納家具１０をスムーズに収納室４に搬入・搬出することができる。
【００２９】
また、収納家具１０を次々に搬入していく場合は、前方の収納家具１０に後方の収納家具１０を前記連結部２２，２２によって連結しながら搬入していくことによって、複数の収納家具１０を一定間隔で整然と並んだ状態で搬入していくことができる。収納家具１０，１０が傾斜レール部１４やその近傍の出入口レール部１２、奥側レール部１３を移動する場合、収納家具１０，１０が上下、左右にずれるが上述したように、連結部２２，２２はこのずれを吸収して収納家具１０，１０を無理なく安定的に連結できる。
また、逆に収納家具１０を出入口５から搬出する場合は、最後尾の収納家具１０を引き出すことによって、これに連結されている収納家具１０を次々に引き出して搬出できる。
また、図２に示すように、レール１１の両端部が出入口レール部１２，１２となっているので、いずれかの出入口レール部１２を使用して収納家具１０の搬入・搬出を行える。
【００３０】
なお、本実施の形態では、収納家具１０を手動にてレール１１に沿って移動させるようにしたが、動力によって移動させるようにしてもよい。この場合、例えば、専用の動力牽引車によって先頭の収納家具１０を牽引すればよい。この動力牽引車は、前記レール１１を転動する車輪を備えており、この車輪が電動モータで回転駆動するようになっている。そして牽引車にも連結部２２を取り付けておき、牽引車と先頭の収納家具１０とは連結部２２，２２によって連結すればよい。また、前記動力牽引車の電動モータのスイッチは、動力牽引車と収納室１０の出入口５の近傍の壁との双方に取り付けておき、いずれのスイッチからでも電動モータのＯＮ・ＯＦＦが行えるようにする。
このように収納家具１０をレール１１に沿って動力によって人手を介さずに自動的に移動させることができるので、収納家具１０の搬入・搬出作業を容易に行える。
【００３１】
また、本実施の形態では、収納家具１０を収納室４に搬入・搬出する場合について説明したが、例えば図８および図９に示すように、洋服やその他の小物等を吊り下げた状態に掛ける移動吊下体２５を収納室４に搬入・搬出するようにしてもよい。移動吊下体２５は、横アームと縦アームとをＴ字状にみ立ててなる吊下本体部２５ａと、この吊下本体部２５ａの横アームの両端部に取り付けられた車輪２５ｂ，２５ｂと、縦アームの下端部に設けられたリング２５ｃとを備えている。そして、車輪２５ｂ，２５ｂはレール１１，１１を転動し、リング２５ｃには、洋服等を掛けたハンガーや、その他の物が引っ掛けられるようになっている。
このような移動吊下体２５を収納室４に搬入していくことで、洋服やその他の小物を収納室４に収納できる。
【００３２】
さらに、本実施の形態では、図２に示すように、レール１１を環状に設けたが、直線状に設けてもよい。
また、奥側レール部１３の途中を切除して、この切除した部分に奥側レール部１３と断面形状が等しいレールピースを着脱可能に取り付けてもよい。この場合、レールピースの長さを上車輪２１ｃの直径より大きくする。したがって、奥側レール部１３からレールピースを取り外すことによって、奥側レール部１３に上車輪２１ｃの直径より大きな空隙が生じるので、この空隙を通して上車輪２１ｃを奥側レール部１３から外すことができる。
そして、奥側レール部１３から収納家具１０を外すには、収納家具１０の前側の上車輪２１ｃを隙間を通して外すことによって、収納家具１０が前方に傾き、前側の下車輪２０ｂが床に当接し、さらに、傾いた状態で収納家具１０を前進させることによって後側の上車輪２１ｃが隙間を通して外れ、後側の下車輪２１ｃが床に当接することによって、収納家具１０を奥側レール部１３から完全に外すことができる。
したがって、レールピースを奥側レール部１３の適宜の位置に着脱可能に取り付けることによって、収納家具１０を適宜の位置で外すことができる。同様に前記移動吊下体２５も外すことができる。
【図面の簡単な説明】
【００３３】
【図１】本発明に係る収納システムを備えた建物の一例を示す断面図である。
【図２】本発明に係る収納システムの一例を示すもので、収納室の内部を下方から見た平面図である。
【図３】同、収納室の入り口近傍を収納家具とともに示す側断面図である。
【図４】同、図３におけるＡ―Ａ線断面図である。
【図５】同、図３におけるＢ―Ｂ線断面図である。
【図６】同、収納家具を示す斜視図である。
【図７】同、収納家具の連結部を示すもので、（ａ）は側面図、（ｂ）は平面図である。
【図８】同、移動吊下体を示す斜視図である。
【図９】同、移動吊下体が収納された収納室の側断面図である。
【符号の説明】
【００３４】
４  収納室
４ａ  天井
５  出入口
１０  収納家具（収納物）
１１  レール
１２  出入口レール部
１３  奥側レール部
１４  傾斜レール部
２０ｂ  下車輪
２１ｃ  上車輪
２２  連結部
２５  移動吊下体（収納物）
２５ｂ  車輪
【図１】
0005165848.tif 000002
【図２】
0005165848.tif 000003
【図３】
0005165848.tif 000004
【図４】
0005165848.tif 000005
【図５】
0005165848.tif 000006
【図６】
0005165848.tif 000007
【図７】
0005165848.tif 000008
【図８】
0005165848.tif 000009
【図９】
0005165848.tif 000010